(57)【要約】【課題】ロータの逆回転時に発生する振動に起因する諸問題を解決することができると共に、スプール往復動装置の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部３ｄを有するロータ３と、先端にスプール４が取り付けられたスプール軸１２と、釣糸をスプール４に巻回するロータ正回転時にスプール軸１２を前後往復動させる一方、釣糸をスプール４から引き出すロータ逆回転時にスプール軸１２を前後往復動させないように動力伝達を行う一方向クラッチを有するスプール往復動装置１３と、を備え、スプール往復動装置１３は、スプール４の自重によるスプール軸１２の不要な移動を規制する規制手段を備えることを特徴とする。【選択図】    図１
2006340657.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを有するスプール往復動装置と、を備え、前記スプール往復動装置は、スプールの自重による前記スプール軸の不要な移動を規制する規制手段を備えることを特徴とする魚釣用スピニングリール。
【請求項２】
前記スプール往復動装置は、ハンドル軸の回転操作に応じて回転しその周面に螺旋溝が形成されたウォームシャフトと、前記スプール軸の一端に固定され前記螺旋溝に係合する係合ピンを有する摺動子と、前記ハンドル軸の回転を前記ウォームシャフトに伝達するギヤと、を備え、前記一方向クラッチを前記ウォームシャフトと前記ギヤとの連結部分に配設することを特徴とする請求項１に記載の魚釣用スピニングリール。
【請求項３】
前記規制手段は、前記一方向クラッチによる動力伝達が許容される回転方向への前記ウォームシャフトの空回りを防止することで、スプールの自重による前記スプール軸の不要な移動を規制することを特徴とする請求項２に記載の魚釣用スピニングリール。
【請求項４】
前記規制手段は、前記ウォームシャフトと前記ギヤとの間にフリクションを発生させるフリクション発生部材で構成されることを特徴とする請求項３に記載の魚釣用スピニングリール。
【請求項５】
前記規制手段は、前記スプール軸の復動時の移動に用いられる前記螺旋溝の溝部の角度を、スプールの自重による前記スプール軸の移動に抗する角度とすることで、スプールの自重による前記スプール軸の不要な移動を規制することを特徴とする請求項３に記載の魚釣用スピニングリール。
【請求項６】
前記スプール往復動装置は、ハンドル軸の回転操作に応じて回転する駆動ギヤと、前記駆動ギヤにて駆動される従動ギヤと、前記従動ギヤと対向配置され係合突起を備えた制御体と、前記スプール軸の一端に固定され前記係合突起が係合する係合溝が形成された摺動子と、を備え、前記一方向クラッチを前記従動ギヤと前記制御体との間に配設することを特徴とする請求項１に記載の魚釣用スピニングリール。
【請求項７】
釣糸をスプールから引き出す前記ロータの回転に制動力を付与するロータ制動機構を備えることを特徴とする請求項１から請求項６のいずれかに記載の魚釣用スピニングリール。
【発明の詳細な説明】
【技術分野】
【０００１】
本発明は、魚釣用スピニングリールに関し、特に、ハンドルの回転操作運動を、スプールの前後往復動に変換するスプール往復動装置をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動装置により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【特許文献１】実公平１−２０８５８号公報
【特許文献２】実公平１−３９１９４号公報
【発明の開示】
【発明が解決しようとする課題】
【０００４】
しかしながら、このような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００５】
また、ロータの逆回転に連動してスプールが高速で前後往復動するので、スプール往復動装置における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００６】
本発明は、上記した問題に鑑みて為されたものであり、ロータの逆回転時に発生する振動に起因する諸問題を解決することができると共に、スプール往復動装置の耐久性、並びにロータ逆回転時におけるフリー性に優れた魚釣用スピニングリールを提供することを目的とする。
【課題を解決するための手段】
【０００７】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、釣糸をスプールに巻回するロータ正回転時にスプール軸を前後往復動させる一方、釣糸をスプールから引き出すロータ逆回転時にスプール軸を前後往復動させないように動力伝達を行う一方向クラッチを有するスプール往復動装置と、を備え、前記スプール往復動装置は、スプールの自重による前記スプール軸の不要な移動を規制する規制手段を備えることを特徴とする。
【０００８】
上記した構成の魚釣用スピニングリールによれば、スプール往復動装置が、釣糸をスプールから引き出すロータの回転時にスプール軸を前後往復動させないことから、スプールの前後往復動に応じて発生していた振動を防止することができるので、振動に伴う操作者における不快感を除去すると共に、魚へ与える影響を低減することを通じて釣果を向上させることが可能となる。
【０００９】
また、釣糸をスプールから引き出すロータの回転時にスプール軸の前後往復動が防止されることから、スプール往復動装置の前後往復動に変換する部材の磨耗を回避することができるので、スプール往復動装置の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１０】
さらに、スプール往復動装置が備える規制手段によりスプールの自重によるスプール軸の不要な移動が規制されることから、操作者の意図と無関係なスプールの自重による不要な移動を防止することができるので、スプールの巻回胴部における糸巻き状態が悪化する事態を防止することができ、魚釣用スピニングリールにおける操作性を向上することが可能となる。
【００１１】
上記構成において、スプール往復動装置は、例えば、ハンドル軸の回転操作に応じて回転しその周面に螺旋溝が形成されたウォームシャフトと、スプール軸の一端に固定され螺旋溝に係合する係合ピンを有する摺動子と、ハンドル軸の回転をウォームシャフトに伝達するギヤと、を備え、一方向クラッチをウォームシャフトとギヤとの連結部分に配設することが考えられる。この場合には、ウォームシャフトを使用したスプール往復動装置を有する魚釣用スピニングリールにおいて上述の効果を得ることが可能となる。
【００１２】
また、上記構成において、スプール往復動装置が備える規制手段は、一方向クラッチによる動力伝達が許容される回転方向へのウォームシャフトの空回りを防止することで、スプールの自重によるスプール軸の不要な移動を規制することが好ましい。この場合には、スプール往復動装置が備える規制手段により、ウォームシャフトの空回りが防止されることから、ウォームシャフトの不要な回転が制限されるので、操作者の意図と無関係なスプールの不要な下方移動を防止することが可能となる。
【００１３】
特に、上記構成において、スプールの自重によるスプール軸の不要な移動を規制する規制手段を、ウォームシャフトとギヤとの間にフリクションを発生させるフリクション発生部材で構成することが考えられる。この場合には、ウォームシャフトとギヤとの間に配設した規制手段としてのフリクション発生部材により、ウォームシャフトの空回りが防止されることから、ウォームシャフトの不要な回転が制限されるので、操作者の意図と無関係なスプールの不要な下方移動を防止することができる。
【００１４】
また、上記構成において、スプール往復動装置が備える規制手段は、スプール軸の復動時の移動に用いられる螺旋溝の溝部の角度を、スプールの自重によるスプール軸の移動に抗する角度とすることで、スプールの自重によるスプール軸の不要な移動を規制するようにしても良い。この場合には、ウォームシャフトにおけるスプール軸の復動時の移動用の螺旋溝の溝部の角度を、自重によるスプールの下方移動に抗する角度としたことにより、ウォームシャフトの空回りが防止されることから、ウォームシャフトの不要な回転が制限されるので、操作者の意図と無関係なスプールの不要な下方移動を防止することができる。
【００１５】
上記構成において、スプール往復動装置は、例えば、ハンドル軸の回転操作に応じて回転する駆動ギヤと、駆動ギヤにて駆動される従動ギヤと、従動ギヤと対向配置され係合突起を備えた制御体と、スプール軸の一端に固定され係合突起が係合する係合溝が形成された摺動子と、を備え、一方向クラッチを従動ギヤと制御体との間に配設することが考えられる。この場合には、駆動ギヤ及び従動ギヤを使用したスプール往復動装置を有する魚釣用スピニングリールにおいて上述の効果を得ることが可能となる。
【００１６】
さらに、上述の構成に加えて、釣糸をスプールから引き出すロータの回転に制動力を付与するロータ制動機構を備える場合には、ロータの逆回転時に発生していた振動が除去されるので、ロータ制動機構に対する操作に集中することが可能となり、魚とのやり取りをより一層楽しみながら魚釣りを行うことが可能となる。
【発明の効果】
【００１７】
本発明によれば、ロータの逆回転時に発生する振動に起因する諸問題を解決することができると共に、スプール往復動装置の耐久性、並びにロータ逆回転時におけるフリー性に優れた魚釣用スピニングリールが得られるようになる。
【発明を実施するための最良の形態】
【００１８】
以下、図面を参照しながら本発明の実施形態について説明する。
【００１９】
図１は、本発明の第１の実施形態に係る魚釣用スピニングリールの全体的な構成を示している。
【００２０】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００２１】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００２２】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合すると共にハンドル軸５と直交する方向に延出し、内部に軸方向に延出する空洞部が形成されたピニオン８とを備えている。
【００２３】
ピニオン８は、一対の前後に配置した軸受け９を介してリール本体１内に回転可能に支持されている。また、スプール４側に向けて延出しており、その先端部において、ロータ３が取り付けられている。ピニオン８には、その中間部分に一方向クラッチ１０が取り付けられており、リール本体１の外部に設けられたレバー１１を回動操作することで一方向クラッチ１０を作動させ、ハンドル６（ロータ３）の釣糸繰出し方向の逆回転を防止する公知の逆転防止装置を構成するようになっている。
【００２４】
ピニオン８の内部に形成された空洞部には、ハンドル軸５と直交する方向に延出し、先端側にスプール４を装着したスプール軸（メインシャフト）１２が軸方向に移動可能に挿通されている。また、ピニオン８には、スプール４（スプール軸１２）を前後往復動させるためのスプール往復動装置１３が係合している。
【００２５】
スプール往復動装置１３は、リール本体１内に回転可能に支持され、スプール軸１２と平行に延出するウォームシャフト１４と、スプール軸１２の基端部に抜け止め固定された摺動子１５と、ウォームシャフト１４の端部に取り付けられ、ピニオン８と噛合するギヤ１６とを備えている。ウォームシャフト１４とギヤ１６との間には、ハンドル６の釣糸巻取り方向の回転における回転駆動力のみをウォームシャフト１４に伝達すべく、後述する一方向クラッチ１７が配設されている。
【００２６】
摺動子１５は、スプール軸１２に対して、ビス等によって回り止め固定される本体１５ａを備えており、この本体１５ａにはウォームシャフト１４の外周面に形成された螺旋溝１４ａと係合する係合ピン１５ｂが保持されている。ウォームシャフト１４が回転駆動されると、摺動子１５は、係合ピン１５ｂを介して前後方向に往復駆動される。
【００２７】
このような構成を有する魚釣用スピニングリールにおいて、ハンドル６により巻取り操作を行うと、ロータ３が巻取り駆動機構を介して回転駆動されると共に、スプール４がスプール往復動装置１３を介して前後往復動されるので、釣糸は、釣糸案内部３ｄを介してスプール４の巻回胴部４ａに均等に巻回されるようになっている。
【００２８】
次に、上記したスプール往復動装置１３のギヤ１６内に配設した一方向クラッチ１７の構成及び作用について説明する。図２は、スプール往復動装置１３のギヤ１６周辺の拡大図であり、図３は、図２に示すＡ−Ａ線に沿った断面図である。なお、以下の説明では、図２の左方側からみた状態で時計回り方向の回転を正転と呼び、反時計回り方向の回転を逆転と呼ぶものとする。
【００２９】
操作者がハンドル６を釣糸巻取り方向に回転させると、これに応じて駆動ギヤ７が図２に示す矢印Ｂ方向に回転駆動し、ピニオン８を介してギヤ１６は逆転駆動される。一方、魚による釣糸の繰り出しによりロータ３が逆転駆動されると、これに応じてピニオン８を介してギヤ１６は正転駆動される。
【００３０】
図３に示すように、一方向クラッチ１７は、ギヤ１６の内側に回り止めされた状態で収容される外輪２１と、この外輪２１とウォームギヤ１４との間に配置される転がり部材２２と、この転がり部材２２に一定方向の付勢力を付与するバネ２３と、このバネ２３の付勢力による転がり部材２２の移動を規制する保持部材２４とから構成される。外輪２１には、各転がり部材２２の大きさに応じて楔領域とフリースペースが設けられ、ギヤ１６の回転方向に応じて転がり部材２２が両者間を移動するように構成されている。
【００３１】
具体的には、釣糸巻取り操作に応じてギヤ１６が逆転駆動（図３で反時計回り方向）されると、その駆動力は、一方向クラッチ１７に伝達される。このとき、一方向クラッチ１７の転がり部材２２はバネ２３の付勢力により楔領域に移行するため、ギヤ１６の駆動力を一方向クラッチ１７を介してウォームシャフト１４に伝達する（なお、ウォームシャフト１４は逆転駆動される）。一方、魚による釣糸の繰り出しに応じてギヤ１６が正転駆動（図３で時計回り方向）されると、その駆動力は、一方向クラッチ１７に伝達される。このとき、一方向クラッチ１７の転がり部材２２は、バネ２３の付勢力に抗して外輪２１のフリースペースに移行するため、ギヤ１６の駆動力をウォームシャフト１４に伝達することはない。
【００３２】
このように、ピニオン８と噛合するギヤ１６とウォームシャフト１４との間に一方向クラッチ１７を介在させ、釣糸をスプール４から引き出す方向のロータ３の逆転時における回転駆動力をウォームシャフト１４に伝達しないようにしているので、魚により釣糸が繰り出された場合でもウォームシャフト１４が回転することはない。このため、スプール４が前後往復動することもないので、従来、このスプール４の前後往復動に応じて発生していた振動を防止することが可能となる。この結果、この振動に起因して発生していた諸問題を全て解決することが可能となる。
【００３３】
すなわち、スプール４の前後往復動に応じて発生していた振動による操作者における不快感を除去することができるので、快適なロータ３の逆転による釣糸の繰り出し操作を行うことが可能となる。また、当該振動により釣糸を介して魚に違和感を与えるのを防止することができるので、この違和感により魚を暴れさせ、魚を取り逃がしたり釣糸を切断したりする事態を回避することができる。この結果、魚への影響を極力小さくすることができるので、釣果を向上させることが可能となる。さらに、当該振動によりリール本体１に締結されたネジが緩む事態を回避することができるので、リール本体１のメンテナンス等に要するコストや時間を低減することが可能となる。
【００３４】
また、ロータ３が逆回転した場合でもウォームシャフト１４が回転しないため、スプール往復動装置１３における螺旋溝１４ａと係合ピン１５ｂとが、従来のようにスプール４の前後往復動に応じて磨耗する事態を回避することができるので、当該スプール往復動装置１３の耐久性を向上させることが可能となる。さらに、ロータ３が逆回転した場合でもウォームシャフト１４が回転しないため、スプール４の前後往復動の方向転換時の抵抗発生によりロータ３の逆回転時におけるフリー性が劣化する事態を回避することができるので、快適に釣糸の繰り出し操作を行うことが可能となる。
【００３５】
また、実施の形態１に係る魚釣用スピニングリールにおいては、ウォームシャフト１４とギヤ１６との間に一方向クラッチ１７を配設することで、釣糸の繰り出しによるロータ３の逆転時の回転方向へのウォームシャフト１４の回転を防止する。しかし、ロータ３の正転時の回転方向へのウォームシャフト１４の回転（反時計方向の回転）は規制されることがないため、例えば、釣竿を水平状態から引き起こした場合にスプール４の自重によりウォームシャフト１４が当該回転方向に空回りし、スプール４が操作者の意図と無関係に移動する事態が発生し得る。
【００３６】
図４は、釣竿を水平状態から引き起こした場合におけるスプール往復動装置１３のギヤ１６周辺の拡大図である。なお、図４においては、スプール４が上端側（図１に示す左端側）寄りの位置に配置された場合について示している。
【００３７】
図４に示すように、釣竿を水平状態から引き起こした場合において、スプール４が上端側寄りの位置に配置されていると、自重によりスプール４が下方移動しようとするため、摺動子１５の係合ピン１５ｂに負荷がかかる。スプール４が下方移動しようとする場合、ロータ３は正転するようになっている。上記構成においては、ロータ３の正転時の回転方向へのウォームシャフト１４の回転が規制されていない。このため、スプール４の自重による負荷がかかると、係合ピン１５ｂが螺旋溝１４ａに沿って下降していき、ウォームシャフト１４を、図４に示す矢印Ａ方向（図４を上方から見た場合における反時計方向）に回転させる。この結果、スプール４が操作者の意図と無関係に下方移動する。
【００３８】
このように操作者の意図と無関係にスプール４が移動する場合には、スプール４の巻回胴部４ａにおける糸巻き状態が悪化するなど、魚釣用スピニングリールにおける操作面に悪影響を及ぼし得るため、可能な限り除去することが望ましい。このため、実施の形態１に係る魚釣用スピニングリールにおいては、スプール往復動装置１３に、自重によるスプール４の不要な移動を規制する規制部材を備える。かかる規制部材を用いて上述のようなウォームシャフト１４の空回りを防止することで、自重によるスプール４の下方移動を規制する。
【００３９】
ウォームシャフト１４の空回りを防止するためには、例えば、ウォームシャフト１４とギヤ１６との間に、規制部材として機能するフリクションを発生させる部材（以下、「フリクション発生部材」という）を配設しても良く、また、ウォームシャフト１４の周面に形成される螺旋溝１４ａの角度を調整することでウォームシャフト１４自体を規制部材として機能させても良い。以下、フリクション発生部材を配設した場合の例について説明した後、螺旋溝１４ａの角度を調整した場合の例について説明する。
【００４０】
図５は、フリクション発生部材を配設した場合におけるスプール往復動装置１３のギヤ１６周辺の拡大図である。図５においては、ウォームシャフト１４とギヤ１６との間にフリクション発生部材としてＯリング２５（弾性ゴムリング）を取り付けた場合について示している。なお、フリクション発生部材は、ウォームシャフト１４の空回りを防止するフリクションを発生させることができれば良く、Ｏリング２５に限らず、リーフスプリングやコイルスプリングなどの部材で構成しても良い。
【００４１】
このように、ウォームシャフト１４とギヤ１６との間にフリクション発生部材で構成される規制部材を配設し、ウォームシャフト１４の空回りを防止するようにしたので、ウォームシャフト１４の不要な回転を防止し、操作者の意図と無関係なスプール４の不要な下方移動を防止することができる。この結果、スプール４の巻回胴部４ａにおける糸巻き状態が悪化する事態を未然に防止することができ、魚釣用スピニングリールにおける操作性を向上することが可能となる。
【００４２】
一方、図６は、螺旋溝１４ａが形成される角度を調整した場合におけるウォームシャフト１４の拡大図である。図６に示す螺旋溝１４ａにおいては、スプール４（スプール軸１２）の往動時の移動（リール本体１の前方向（図１に示す左方向）側への移動）に用いられる往動用溝部１４１と、スプール４の復動時の移動（リール本体１の後方向（図１に示す右方向）側への移動）に用いられる復動用溝部１４２との間において、ウォームシャフト１４に対する角度を変えている。なお、釣竿を引き起こした場合において、自重によりスプール４が移動する際には、これらの溝部のうち、係合ピン１５ｂが復動用溝部１４２を通って下降することとなる。
【００４３】
本実施形態においては、復動用溝部１４２における、ウォームシャフト１４の延出方向と直交する方向に対する角度（以下、「復動用溝部１４２の角度」という）を、往動用溝部１４１における、ウォームシャフト１４の延出方向と直交する方向に対する角度（以下、「往動用溝部１４１の角度」という）以下の大きさとしている。具体的には、復動用溝部１４２の角度を自重によるスプール４の下方移動に抗する角度とし、往動用溝部１４１の角度を復動用溝部１４２の角度以上の大きさとしている。
【００４４】
復動用溝部１４２の角度は、スプール４がスムーズに復動することを前提として、自重によるスプール４の下方移動に抗することができれば、どのような値にしても良いが、例えば、８〜１１度で構成される。一方、往動用溝部１４１の角度は、復動用溝部１４２と同様に、スプール４がスムーズに往動することを前提として、復動用溝部１４２の角度以上の大きさであれば、どのような値にしても良いが、例えば、１６〜２２度で構成される。
【００４５】
なお、スプール４が自重で下方に移動しないように、復動用溝部１４２の角度が形成されていれば良く、往動用溝部１４１の角度を、例えば、復動用溝部１４２の角度（８〜１１度）と同様に形成しても良い。
【００４６】
このように、ウォームシャフト１４の周面に形成される復動用溝部１４２の角度を、自重によるスプール４の下方移動に抗する角度としたので、ウォームシャフト１４の不要な回転を防止し、操作者の意図と無関係なスプール４の不要な下方移動を防止することができる。この結果、スプール４の巻回胴部４ａにおける糸巻き状態が悪化する事態を未然に防止することができ、魚釣用スピニングリールにおける操作性を向上することが可能となる。
【００４７】
また、これらのような構成を維持しつつ、更なる優れた効果を得るために適宜、新たな部材をスプール往復動装置１３に追加するようにしても良い。例えば、ウォームシャフト１４における一方向クラッチ１７の連結部分を補強する部材を追加するようにしても良い。
【００４８】
すなわち、上記構成においては、ロータ３の逆転時の回転方向へのウォームシャフト１４の回転を防止すべく、ウォームシャフト１４とギヤ１６との間に一方向クラッチ１７を配設している。一方向クラッチ１７との連結部分は、釣糸巻取り時の駆動力伝達の役目上、ある程度の強度が要求されるため、例えば、ウォームシャフト１４をステンレス（ＳＵＳ）や炭素工具鋼（ＳＫ）などの高強度の材料で構成する必要がある。しかし、このような材料でウォームシャフト１４を構成した場合にはウォームシャフト１４自体の重量が大幅に増加する事態が発生し得る。
【００４９】
このようなウォームシャフト１４の重量の増加を回避すべく、ウォームシャフト１４における一方向クラッチ１７の連結部分を補強する部材を追加することは、ウォームシャフト１４の重量の増加を最小限に抑えつつ、一方向クラッチ１７との連結部分の強度を得ることが可能となるため、実施の形態として好ましい。ウォームシャフト１４における一方向クラッチ１７の連結部分を補強するには、例えば、当該連結部分に高強度の補強部材を圧入することで実現することが可能である。
【００５０】
図７は、ウォームシャフト１４に高強度の補強部材を圧入した場合におけるスプール往復動装置１３のギヤ１６周辺の拡大図である。図７においては、ウォームシャフト１４における一方向クラッチ１７の連結部分に補強部材としてカラー２６を圧入した場合について示している。このようなカラー２６としては、例えば、ステンレス（ＳＵＳ）や炭素工具鋼（ＳＫ）などの高強度の材料で設けることが好ましい。
【００５１】
このように、ウォームシャフト１４に高強度の補強部材を圧入し、一方向クラッチ１７との連結部分を補強した場合には、ウォームシャフト１４における当該連結部分以外の部分をアルミニウム（Ａｌ）やチタンなどの軽量の材料で構成することが可能となる。この結果、ウォームシャフト１４の重量の増加を最小限に抑えつつ、一方向クラッチ１７との連結部分の強度を得ることが可能となる。
【００５２】
以上、本発明に係る魚釣用スピニングリールの実施系形態について説明したが、本発明は、上記実施形態に限定されることなく、種々変形することが可能である。上記した実施形態においては、ウォームシャフト１４を使用したスプール往復動装置１３について示しているが、例えば、組み付けられるスピニングリールの構成に応じて、スプール往復動装置１３の構成については、適宜変形することが可能である。例えば、所謂ギヤオシレート方式のスプール往復動装置に適用することが可能である。
【００５３】
以下、図８及び図９を参照して本発明の第２の実施形態について説明する。なお、これらの図において、図８は、第２の実施形態に係る魚釣用スピニングリールの全体的な構成を示す図であり、図９は、図８に示すＡ−Ａ線に沿った断面図である。また、以下に説明する実施形態では、上記した第１の実施形態と同様な構成要素については、同一の参照符号を付し、その詳細な説明については省略する。
【００５４】
図８に示すリール本体１には、スプール４（スプール軸１２）を前後動するスプール往復動装置３０が組み込まれている。このスプール往復動装置３０は、ハンドル軸５に一体回転可能に設けられた駆動ギヤ３１（ハンドル軸５に一体形成されているのが好ましい）と、リール本体１に回転可能に支持され、駆動ギヤ３１に噛合する従動ギヤ３２とを有している。
【００５５】
この従動ギヤ３２に対向する位置に、リール本体１に回転可能に支持される制御体３３が取り付けられている。制御体３３には、中心より偏芯した端部表面に係合突起３３ａが形成されている。この係合突起３３ａは、スプール軸１２の後端部にビス止めされた摺動子３４に形成された係合溝３５内に係合されている。この結果、ハンドル６の巻取り操作によって駆動ギヤ３１を介して従動ギヤ３２及び制御体３３が回転駆動されると、係合突起３３ａは、所定の回転軌跡を移動しながら係合溝３５内を案内され、これに伴ってスプール軸１２（スプール４）を前後往復動に変換させる。
【００５６】
図９に示すように、制御体３３は、リール本体１から突出形成された突出軸１ａに対して回転自在に取り付けられ、この突出軸１ａが形成される壁面との間に従動ギヤ３２を挟んだ状態で取り付けられている。突出軸１ａに取り付けられた制御体３３と従動ギヤ３２の支持部との間には、後述する一方向クラッチ３６が配設されている。この一方向クラッチ３６は、実施の形態１に係る一方向クラッチ１７と同様の構成を有し、ハンドル６の釣糸巻取り方向の回転における回転駆動力のみを制御体３３に伝達するものであり、その詳細な説明は省略する。
【００５７】
このような構成を有する魚釣用スピニングリールにおいて、ハンドル６により巻取り操作を行うと、ロータ３が巻取り駆動機構を介して回転駆動される共に、スプール４がスプール往復動装置３０を介して前後往復動されるので、釣糸は、釣糸案内部３ｄを介してスプール４の巻回胴部４ａに均等に巻回されるようになっている。
【００５８】
次に、上記したスプール往復動装置３０の一方向クラッチ３６の作用について説明する。なお、以下の説明では、図８の手前側からみた状態（図９の左方側からみた状態）で時計回り方向の回転を正転と呼び、反時計回り方向の回転を逆転と呼ぶものとする。
【００５９】
操作者がハンドル６を釣糸巻取り方向に回転させると、これに応じて駆動ギヤ３１が逆転駆動される。駆動ギヤ３１が逆転駆動されると、これに応じて従動ギヤ３２が正転駆動され、その駆動力は、一方向クラッチ３６に伝達される。このとき、一方向クラッチ３６の転がり部材は楔領域に移行する構成を採るため、駆動力を制御体３３に伝達する（なお、制御体３３は正転駆動される）。制御体３３が正転駆動されることで、係合突起３３ａが係合溝３５内を所定の回転軌跡を移動しながら案内され、これに伴ってスプール軸１２（スプール４）が前後往復動を行う。
【００６０】
一方、魚による釣糸の繰り出しによりロータ３が釣糸繰出し方向に回転すると、ピニオン８を介して駆動ギヤ７及び駆動ギヤ３１が正転駆動される。駆動ギヤ３１が正転駆動されると、これに応じて従動ギヤ３２が逆転駆動され、その駆動力は、一方向クラッチ３６に伝達される。このとき、一方向クラッチ３６の転がり部材は、フリースペースに移行する構成を採るため、駆動力を制御体３３に伝達することはない。このため、係合突起３３ａが移動することもないため、スプール軸１２（スプール４）が前後往復動を行うこともない。
【００６１】
このように、制御体３３に摺動子３４に形成された係合溝３５内に係合する係合突起３３ａを設けると共に、従動ギヤ３２と制御体３３との間に一方向クラッチ３６を介在させ、ロータ３の逆転時における回転駆動力を制御体３３に伝達しないようにしているので、魚により釣糸が繰り出された場合でも制御体３３が回転することはない。このため、スプール４が前後往復動することもないので、従来、このスプール４の前後往復動に応じて発生していた振動を防止することが可能となる。この結果、従来、この振動に起因して発生していた諸問題を全て解決することができ、実施の形態１と同様の効果を得ることが可能となる。
【００６２】
なお、実施の形態２に係る魚釣用スピニングリールにおいても、釣竿を水平状態から引き起こした場合にスプール４の自重により制御体３３の回転が許容されている回転方向に空回りし、スプール４が操作者の意図と無関係に移動する事態が発生し得る。この場合には、スプール４の巻回胴部４ａにおける糸巻き状態が悪化するという問題が実施の形態１と同様に発生する。このため、実施の形態２に係る魚釣用スピニングリールにおいても、このような制御体３３の空回りを防止することで、自重によるスプール４の下方移動を規制する。
【００６３】
制御体３３の空回りを防止する手法としては、どのような構成を採用しても良いが、例えば、図９に示すように、従動ギヤ３２の側面と制御体３３の側面とが対向する部分に形成される空間にフリクション発生部材（例えば、弾性Ｏリング３７）を配設することが考えられる。なお、フリクション発生部材は、制御体３３の空回りを防止するフリクションを発生させることができれば良く、弾性Ｏリング３７に限らず、リーフスプリングやコイルスプリングなどの部材で構成しても良いのは実施の形態１と同様である。
【００６４】
このように、従動ギヤ３２の側面と制御体３３の側面とが対向する部分に形成される空間にフリクション発生部材を配設し、制御体３３の空回りを防止するようにしたので、制御体３３の不要な回転を防止し、操作者の意図に無関係なスプール４の下方移動を防止することができる。この結果、スプール４の巻回胴部４ａにおける糸巻き状態が悪化する事態を未然に防止することができ、魚釣用スピニングリールにおける操作性を向上することが可能となる。
【００６５】
また、このような制御体３３の空回りを防止するフリクション発生部材を維持しつつ、或いは、このフリクション発生部材の代わりに、自重によるスプール４の移動に伴う摺動子３４の移動を規制する部材をスプール往復動装置３０に追加するようにしても良い。
【００６６】
摺動子３４の移動を規制する部材としては、どのような部材を採用しても良いが、例えば、摺動子３４を、スプール４の往動時の移動方向（リール本体１の前方向（図８に示す左方向））側に付勢する付勢部材を配設しても良く、また、リール本体１の筐体内部に傾斜面を設けておき、この傾斜面と一定領域で摺接する弾性部材を摺動子３４の下端部に取り付けておいても良い。以下、付勢部材を配設した場合の例について説明した後、リール本体１の筐体内部に設けた傾斜面と摺接する弾性部材を摺動子３４の下端部に取り付けた場合の例について説明する。
【００６７】
図１０は、付勢部材を配設した場合におけるスプール往復動装置３０の周辺の要部断面図である。図１０においては、摺動子３４を案内するガイド３８にコイルばね３９を取り付けた場合について示している。なお、付勢部材の種別としては、コイルばね３９に限定されるものではなく、その取り付け位置などを含めて適宜変更が可能である。コイルばね３９は、スプール４の自重による下方移動に抗する付勢力を有している。
【００６８】
なお、付勢力を作用させるコイルばね３９は、スプール４の自重とスプール往復動装置３０の動力伝達効率等を考慮して通常の釣糸巻取り操作に支障をきたさず、スプール４の自重による下方移動を規制できる程度のばね力を有するものが選定される。
【００６９】
このように、摺動子３４を、スプール４の往動時の移動方向側に付勢するコイルばね３９を配設したので、自重によるスプール４の移動に伴う摺動子３４の移動を防止し、操作者の意図と無関係なスプール４の下方移動を防止することができる。この結果、スプール４の巻回胴部４ａにおける糸巻き状態が悪化する事態を未然に防止することができ、魚釣用スピニングリールにおける操作性を向上することが可能となる。
【００７０】
図１１は、リール本体１の筐体内部に設けた傾斜面と一定領域で摺接する弾性部材を摺動子３４の下端部に取り付けた場合におけるスプール往復動装置３０の周辺の要部断面図である。図１１においては、リール本体１の筐体内部であって、摺動子３４の下方領域に配置される部分に傾斜面４０を設ける一方、この傾斜面４０と対向配置され、当該傾斜面とリール本体１の前方側の一定領域で摺接する弾性部材４１を摺動子３４の下端部に取り付けた場合について示している。
【００７１】
傾斜面４０は、スプール４の往動時の移動方向（リール本体１の前方向（図８に示す左方向））側に向かって僅かにせり上がるように傾斜しており、摺動子３４が一定位置よりもリール本体１の前方向側に移動すると、弾性部材４１が摺接するようになっている。弾性部材４１が傾斜面４０と摺接すると、弾性部材４１が有する弾性力により摺動子３４の移動が規制される。これにより、釣竿を引き起こした場合において、スプール４が一定位置よりも上方側寄りの位置に配置された場合には、摺動子３４がその位置で停止することとなる。
【００７２】
なお、上記のように摺動子３４の移動を規制する傾斜面４０は、スプール４の自重とスプール往復動装置３０の動力伝達効率等を考慮して通常の釣糸巻取り操作に支障をきたさず、スプール４の自重による下方移動を規制できる程度の傾斜角度が選定される。また、弾性部材４１はスプール４の自重とスプール往復動装置３０の動力伝達効率等を考慮して通常の釣糸巻取り操作に支障をきたさず、スプール４の自重による下方移動を規制できる程度の弾性力を有するものが選択される。
【００７３】
なお、図１１においては、弾性部材４１が傾斜面４０と摺接して摺動子３４の移動が規制された状態におけるスプール往復動装置３０と、弾性部材４１と傾斜面４０との摺接が解除され、摺動子３４の移動が規制されていない状態におけるスプール往復動装置３０とを示している。
【００７４】
このように、摺動子３４の下方領域に配置される筐体内部に傾斜面４０を設け、この傾斜面４０と一定領域で摺接する弾性部材４１を摺動子３４の下端部に取り付けたので、自重によるスプール４の移動に伴う摺動子３４の移動を防止し、操作者の意図に無関係なスプール４の下方移動を防止することができる。この結果、スプール４の巻回胴部４ａにおける糸巻き状態が悪化する事態を未然に防止することができ、魚釣用スピニングリールにおける操作性を向上することが可能となる。
【００７５】
なお、以上の説明においては、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００７６】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールにおいては、上述した優れた効果に加え、更に顕著な効果を得ることが可能となる。
【００７７】
すなわち、レバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００７８】
また、以上の説明において、スプール往復動装置１３（３０）に配設される一方向クラッチ１７（３６）は、上記構成に限定されることなく、他の構成を有する一方向クラッチを適用することが可能である。例えば、ラチェットと爪とを組み合わせて一方向クラッチを構成しても良いし、又、巻バネの締付力を利用して構成するようにしてもよい。このように変更した場合においても、上述した本実施の形態と同様の効果を得ることが可能である。
【産業上の利用可能性】
【００７９】
本発明は、ロータの逆回転時に発生する振動に起因する諸問題を解決することができると共に、スプール往復動装置の耐久性、並びにロータ逆回転時におけるフリー性に優れた魚釣用スピニングリールを提供するものであり、産業上の利用可能性を有する。
【図面の簡単な説明】
【００８０】
【図１】本発明の第１の実施形態に係る魚釣用スピニングリールの全体的な構成を示す図。
【図２】スプール往復動装置のギヤ周辺の拡大図。
【図３】図２に示すＡ−Ａ線に沿った断面図。
【図４】釣竿を水平状態から引き起こした場合におけるスプール往復動装置のギヤ周辺の拡大図。
【図５】フリクション発生部材を追加した場合におけるスプール往復動装置のギヤ周辺の拡大図。
【図６】螺旋溝が形成される角度を調整した場合におけるウォームシャフトの拡大図。
【図７】ウォームシャフトに高強度の補強部材を圧入した場合におけるスプール往復動装置のギヤ周辺の拡大図。
【図８】本発明の第２の実施形態に係る魚釣用スピニングリールの全体的な構成を示す図。
【図９】図８に示すＡ−Ａ線に沿った断面図。
【図１０】付勢部材を配設した場合におけるスプール往復動装置周辺の要部断面図。
【図１１】リール本体の筐体内部に設けた傾斜面と一定領域で摺接する弾性部材を摺動子の下端部に取り付けた場合におけるスプール往復動装置周辺の要部断面図。
【符号の説明】
【００８１】
１  リール本体
３  ロータ
４  スプール
５  ハンドル軸
７  駆動ギヤ
１２  スプール軸
１３  スプール往復動装置
１４  ウォームシャフト
１４ａ  螺旋溝
１４１  往動用溝部
１４２  復動用溝部
１５  摺動子
１６  ギヤ
１７  一方向クラッチ
２５  フリクション発生部材（Ｏリング）
２６  補強部材（カラー）
３０  スプール往復動装置
３１  駆動ギヤ
３２  従動ギヤ
３３  制御体
３３ａ  係合突起
３４  摺動子
３５  係合溝
３６  一方向クラッチ
３９  コイルばね
４０  傾斜面
４１  弾性部材
【図１】
2006340657.tif 000003
【図２】
2006340657.tif 000004
【図３】
2006340657.tif 000005
【図４】
2006340657.tif 000006
【図５】
2006340657.tif 000007
【図６】
2006340657.tif 000008
【図７】
2006340657.tif 000009
【図８】
2006340657.tif 000010
【図９】
2006340657.tif 000011
【図１０】
2006340657.tif 000012
【図１１】
2006340657.tif 000013